(57)【要約】【課題】周囲の明るさなどに応じて表示装置の輝度を変化させた場合においても、表示内容の視認性が低下してしまうことのない表示方法および表示装置を実現する。【解決手段】  周囲の明るさや使用者の操作などに応じて表示装置の輝度を変化させる表示方法において、表示装置の輝度に応じて表示するシンボルの表示形態を変化させることを特徴とする。【選択図】    図１
2007010978.tif 000002
【特許請求の範囲】
【請求項１】
周囲の明るさや使用者の操作などに応じて表示装置の輝度を変化させる表示方法において、表示装置の輝度に応じて表示するシンボルの表示形態を変化させることを特徴とする表示方法。
【請求項２】
前記シンボルの表示形態の変化は、シンボルにおける表示色の変化であることを特徴とする請求項１に記載の表示方法。
【請求項３】
前記シンボルの表示形態の変化は、シンボルにおける表示色の濃淡の変化であることを特徴とする請求項１または２に記載の表示方法。
【請求項４】
前記シンボルの表示形態の変化は、シンボルの大きさの変化であることを特徴とする請求項１乃至３のいずれかに記載の表示方法。
【請求項５】
前記シンボルの表示色の変化が、同一画面上の複数のシンボルが同一輝度となるように各シンボルの表示色を選択することを特徴とする請求項２に記載の表示方法。
【請求項６】
前記シンボルの表示色の濃淡の変化が、同一画面上の複数のシンボルが同一輝度となるように各シンボルの表示色の濃淡を選択することを特徴とする請求項３に記載の表示方法。
【請求項７】
前記シンボルの大きさの変化が、同一画面上の複数のシンボルが同一輝度となるように各シンボルの大きさを選択することを特徴とする請求項４に記載の表示方法。
【請求項８】
前記シンボルの表示形態の変化を、前記表示装置の輝度に対して段階的に変化させることを特徴とする請求項１乃至７のいずれかに記載の表示方法。
【請求項９】
表示手段と、この表示手段に任意のシンボルを表示させる表示制御手段と、前記表示手段の輝度を制御する輝度制御手段とを有する表示装置において、前記表示手段の輝度に応じて前記表示手段に表示させるシンボルの表示形態を変化させる表示変更手段を具備することを特徴とする表示装置。
【請求項１０】
前記表示手段は、前記シンボルの表示色を変化させることを特徴とする請求項９に記載の表示装置。
【請求項１１】
前記表示手段は、前記シンボルの表示色の濃淡を変化させることを特徴とする請求項９または１０に記載の表示装置。
【請求項１２】
前記表示手段は、前記シンボルの大きさを変化させることを特徴とする請求項９乃至１１記載のいずれかに記載の表示装置。
【請求項１３】
前記表示手段は、前記シンボルの表示色の変化が、同一画面上の複数のシンボルが同一輝度となるように各シンボルの表示色を選択することを特徴とする請求項１０に記載の表示方法。
【請求項１４】
前記表示手段は、前記シンボルの表示色の濃淡の変化が、同一画面上の複数のシンボルが同一輝度となるように各シンボルの表示色の濃淡を選択することを特徴とする請求項１１に記載の表示方法。
【請求項１５】
前記表示手段は、前記シンボルの大きさの変化が、同一画面上の複数のシンボルが同一輝度となるように各シンボルの大きさを選択することを特徴とする請求項１２に記載の表示方法。
【請求項１６】
前記表示手段は、前記表示手段の輝度を判別する判別手段と、この判別手段の判別結果に応じて前記シンボルの表示形態を段階的に変化させる切替手段とを具備することを特徴とする請求項９乃至１５のいずれかに記載の表示装置。
【発明の詳細な説明】
【技術分野】
【０００１】
本発明は、輝度を制御することができる表示方法および表示装置に関し、輝度に応じて表示する表示内容の表示状態を変化させることにより、視認性を向上させる表示方法および表示装置に関するものである。
【背景技術】
【０００２】
従来、液晶表示器などを使用した表示装置においては、シンボルなどの表示内容を見やすくするために、周囲の明るさに応じて表示装置の輝度を変化させることが行われている。例えば、周囲が明るい場合には、表示装置の輝度を高くし、逆に、周囲が暗い場合には表示装置の輝度を低くする。なお、シンボルとは、ディスプレイ上に表示される図形・文字等であって独立して制御可能な画像要素をいう。
【０００３】
このように、周囲の明るさに応じて表示装置の輝度を変化させると、周囲と表示画面とのコントラストを低く抑え、表示画面を見やすくすることができる。
【０００４】
【特許文献１】特開平２００２−３４４５９８号公報
【発明の開示】
【発明が解決しようとする課題】
【０００５】
しかしながら、このような表示装置において、同じ大きさ、同じ色のシンボルを表示させた場合には、人間の目には、輝度が低いほどシンボルが小さく見える特性があり、輝度の低下とともに表示内容の視認性も低下してしまう欠点がある。
【０００６】
本発明は、上記のような従来装置の欠点をなくし、周囲の明るさなどに応じて輝度を変化させた場合においても、表示内容の視認性が低下してしまうことのない表示方法および表示装置を実現することを目的としたものである。
【課題を解決するための手段】
【０００７】
上記のような目的を達成するために、本発明の請求項１では、周囲の明るさや使用者の操作などに応じて表示装置の輝度を変化させる表示方法において、表示装置の輝度に応じて表示するシンボルの表示形態を変化させることを特徴とする。
【０００８】
請求項２では、請求項１に記載の表示方法において、前記シンボルの表示形態の変化は、シンボルにおける表示色の変化であることを特徴とする。
【０００９】
請求項３では、請求項１または２に記載の表示方法において、前記シンボルの表示形態の変化は、シンボルにおける表示色の濃淡の変化であることを特徴とする。
【００１０】
請求項４では、請求項１乃至３のいずれかの表示方法において、前記シンボルの表示形態の変化は、シンボルの大きさの変化であることを特徴とする。
【００１１】
請求項５では、請求項２に記載の表示方法において、前記シンボルの表示色の変化が、同一画面上の複数のシンボルが同一輝度となるように各シンボルの表示色を選択することを特徴とする。
【００１２】
請求項６では、請求項３に記載の表示方法において、前記シンボルの表示色の濃淡の変化が、同一画面上の複数のシンボルが同一輝度となるように各シンボルの表示色の濃淡を選択することを特徴とする。
【００１３】
請求項７では、請求項４に記載の表示方法において、前記シンボルの大きさの変化が、同一画面上の複数のシンボルが同一輝度となるように各シンボルの大きさを選択することを特徴とする。
【００１４】
請求項８では、請求項１乃至７のいずれかの表示方法において、前記シンボルの表示形態の変化を、前記表示装置の輝度に対して段階的に変化させることを特徴とする。
【００１５】
請求項９では、表示手段と、この表示手段に任意のシンボルを表示させる表示制御手段と、前記表示手段の輝度を制御する輝度制御手段とを有する表示装置において、前記表示手段の輝度に応じて前記表示手段に表示させるシンボルの表示形態を変化させる表示変更手段を具備することを特徴とする。
【００１６】
請求項１０では、請求項９に記載の表示装置において、前記表示手段は、前記シンボルの表示色を変化させることを特徴とする。
【００１７】
請求項１１では、請求項９または１０の表示装置において、前記表示手段は、前記シンボルの表示色の濃淡を変化させることを特徴とする。
【００１８】
請求項１２では、請求項９乃至１１の表示装置において、前記表示手段は、前記シンボルの大きさを変化させることを特徴とする。
【００１９】
請求項１３では、請求項１０の表示装置において、前記表示手段は、前記シンボルの表示色の変化が、同一画面上の複数のシンボルが同一輝度となるように各シンボルの表示色を選択することを特徴とする。
【００２０】
請求項１４では、請求項１１の表示装置において、前記表示手段は、前記シンボルの表示色の濃淡の変化が、同一画面上の複数のシンボルが同一輝度となるように各シンボルの表示色の濃淡を選択することを特徴とする。
【００２１】
請求項１５では、請求項１２の表示装置において、前記表示手段は、前記シンボルの大きさの変化が、同一画面上の複数のシンボルが同一輝度となるように各シンボルの大きさを選択することを特徴とする。
【００２２】
請求項１６では、請求項９乃至１５の表示装置において、前記表示手段は、前記表示手段の輝度を判別する判別手段と、この判別手段の判別結果に応じて前記シンボルの表示形態を段階的に変化させる切換手段とを具備することを特徴とする。
【発明の効果】
【００２３】
このように、輝度による調整に加え、輝度の高低に応じて表示内容も変化させることにより、表示装置の輝度を低くした場合にも表示内容の視認性が低下してしまうことのない表示方法および表示装置を実現することができる。
【発明を実施するための最良の形態】
【００２４】
以下、図面を用いて、本発明の表示シンボルの表示方法および表示装置を説明する。
【実施例１】
【００２５】
図１は、本発明の表示方法および表示装置の一実施例を示す機能ブロック図である。図において、１は液晶表示器による表示部、２は液晶用のバックライトの輝度設定を行うバックライト輝度制御部、３はバックライト輝度制御部２の輝度設定に従いバックライトを駆動するバックライト駆動回路、４は表示シンボルの形態を変化させる表示変更部、４１はバックライト輝度を判別するバックライト輝度判別部、４２は画像表示に使用する表示シンボルを切り換える表示シンボル切り換え部、５は表示部１に表示する表示内容全般を制御する表示制御部である。なお、図に示す装置は、航空機用のコックピットディスプレイを例示している。
【００２６】
図２はバックライト輝度の調光カーブを示したものである。調光カーブは昼間用カーブ２１と夜間用カーブ２２の２種類用意してバックライト輝度制御部２に格納し、周囲の明るさやパイロットの判断により、どちらの調光カーブを使用するか切り換えることができる。
夜間はバックライトの輝度を細かく調整できるようにしたいというニーズがあるため、夜間用カーブ２２は、昼間用カーブ２１と比較して輝度変化のステップを小さくし、全体的にカーブを緩やかにしている。
【００２７】
表示シンボルは昼間用と夜間用の２段階用意する。昼間用シンボルは、バックライトの輝度が高い場合に表示画像が見やすくなるよう作成し、夜間用シンボルはバックライトの輝度が低い場合に表示画像が見やすくなるよう作成する。
【００２８】
バックライト輝度制御部２で昼間用調光カーブ２１を使用している間は、画像表示には昼間用シンボルを使用する。夜間用調光カーブ２２を使用している間は、バックライトの輝度設定値によって昼間用シンボルと夜間用シンボルを切り換える。表示シンボルの切り替えは、表示シンボル切り換え部４２で行う。
【００２９】
図３〜図６は、昼間用シンボルとそれに対応する夜間用シンボルの例を示したものである。図４〜図６では、図３に示した表示シンボルの文字「１０」の部分を拡大して示している。
【００３０】
図３（ａ）は昼間用シンボル、（ｂ）は夜間用シンボルを示したものである。昼間用シンボルと比較して夜間用シンボルは文字部分の色彩を変化させている。周囲が暗い状況でも見やすい色彩に変更することで、バックライトの輝度を低くしても文字等の視認性を保つことができる。
【００３１】
図４（ａ）は昼間用シンボル、（ｂ）は夜間用シンボルを示したものである。昼間用シンボルと比較して夜間用シンボルは文字部分の表示色を濃くしている。表示色を濃くすることによって、バックライトの輝度を低くしても文字等の視認性を保つことができる。
【００３２】
図５（ａ）は昼間用シンボル、（ｂ）は夜間用シンボルを示したものである。昼間用シンボルと比較して夜間用シンボルは文字等のサイズを大きくしている。サイズを大きくすることによって、バックライトの輝度を低くしても視認性を保つことができる。
【００３３】
図６（ａ）は昼間用シンボル、（ｂ）は夜間用シンボルを示したものである。昼間用シンボルと比較して夜間用シンボルは文字等に縁取りを施している。文字等の表示色と異なる色で縁取りし、目立たせることによって、バックライトの輝度を低くしても視認性を保つことができる。
【００３４】
昼間用のシンボルと夜間用のシンボルの切り換えは、バックライトの輝度設定値に連動して自動的に行う構成となっているが、直接パイロットの操作によって行う構成としてもよい。
【００３５】
表示シンボルは昼間用と夜間用の２段階に限らず、３段階以上としてもよい。また、輝度に応じて連続的に切り換える構成とすることもできる。
【００３６】
なお、上記説明においては、本発明の航空機用コックピットディスプレイとした場合を例示したが、本発明は周囲の明るさに応じて輝度を調整することができる表示装置であれば、他の表示装置にも適用することができる。
【実施例２】
【００３７】
バックライトの輝度設定をパイロットの手動の操作で行う場合において、同じ大きさで異なる色のシンボル、または同じ色で異なる形状のシンボルを同一画面上に表示させた場合、個々のシンボルの輝度が同一ではないため、人間は一番輝度の高いシンボルが見やすくなるように輝度を調整する傾向がある。その結果、人間の目には、輝度が低いシンボルほど小さく見える特性があり、バックライトの輝度の低下とともに輝度の低いシンボルの視認性が低下してしまう。
【００３８】
図７は同じ形状（長方形）のシンボルを、白色で表示した場合（ａ）と赤色で表示した場合（ｂ）を対比した例である。白色を表示した場合（ａ）はＲＧＢ全色点灯するが、赤色で表示した場合（ｂ）はＲのみが点灯し、ＧＢは消灯する。そのため、（ａ）に比べて（ｂ）はシンボル全体の輝度が低くなる。
【００３９】
図７（ａ）と（ｂ）を同一画面上に表示してバックライトの輝度を下げた場合には、輝度の高い（ａ）のシンボルの輝度に合わせてバックライトを調整するため、（ｂ）は（ａ）よりも視認性が低下する。
【００４０】
図８は、赤色のシンボル全体の輝度を高くするために、色を濃く表示した例である。赤色のシンボルの各ピクセル（Ｒ）を強く発色させ、シンボル全体の輝度が白色のシンボルの輝度と同じになるようにする。輝度の低いシンボルを輝度の高いシンボルと同じ輝度にすることで、視認性を保つことができる。また、表示色（赤色）を輝度の高い別の色（例えばピンク）に変えることによって、シンボルの輝度を上げ視認性を保つことができる。
【００４１】
図９は、赤色のシンボル全体の輝度を高くするために、サイズを大きく表示した例である。赤色のシンボルの表示面積を大きくすることで、シンボル全体の輝度が白色のシンボルの輝度と同じになるようにする。輝度の低いシンボルを輝度の高いシンボルと同じ輝度にすることで、視認性を保つことができる。
【図面の簡単な説明】
【００４２】
【図１】図１は本発明の表示装置の一実施例を示す機能ブロック図。
【図２】図２はバックライトの調光カーブを示す図。
【図３】図３は昼間用シンボルと夜間用シンボルの対比例を示す図。
【図４】図４は昼間用シンボルと夜間用シンボルの対比例を示す図。
【図５】図５は昼間用シンボルと夜間用シンボルの対比例を示す図。
【図６】図６は昼間用シンボルと夜間用シンボルの対比例を示す図。
【図７】図７は同じ形状のシンボルを異なる色で表示した場合の輝度の違いを示す図。
【図８】図８はシンボル全体の輝度を高めるために表示色を濃くして表示した図。
【図９】図９はシンボル全体の輝度を高めるためにシンボルのサイズを大きくして表示した図。
【符号の説明】
【００４３】
１      表示部
２      バックライト輝度制御部
３      バックライト駆動回路
４      表示変更部
４１    バックライト輝度判別部
４２    表示シンボル切り換え部
５      表示制御部
【図１】
2007010978.tif 000003
【図２】
2007010978.tif 000004
【図３】
2007010978.tif 000005
【図４】
2007010978.tif 000006
【図５】
2007010978.tif 000007
【図６】
2007010978.tif 000008
【図７】
2007010978.tif 000009
【図８】
2007010978.tif 000010
【図９】
2007010978.tif 000011